(57)【要約】【課題】コイルに余分な長さを必要とせずに、通信装置に実装させる際の方向性の制限を無くしたアンテナ装置を得ることを目的とする。【解決手段】フェライト１の一辺に位置する２つの角部近傍にそれぞれ備えられた接続部３ａ、３ｃとこれらを連結した連結部４ａを備えた端子２ａと、フェライト１の一辺と対向する対辺に位置する２つの角部近傍にそれぞれ備えられた接続部３ｂ、３ｄとこれらを連結した連結部４ｂを備えた端子２ｂとを有し、コイル５の一端は接続部３ａ、３ｃのいずれかに接続し、コイル５の他端は接続部３ｂ、３ｄのいずれかに接続されるようにした。【選択図】図２
2011244363.tif 000002
【特許請求の範囲】
【請求項１】
略直方体からなる磁性体と、該磁性体を巻回し２つの端部を備えるコイル部と、前記磁性体の一辺に位置する２つの角部近傍にそれぞれ備えられた第１の接続部とこれら第１の接続部を連結し、前記磁性体の一辺に沿って設けられた連結部を備えた第１の端子部と、前記磁性体の一辺と対向する対辺に位置する２つの角部近傍にそれぞれ備えられた第２の接続部とこれら第２の接続部を連結し、前記磁性体の対辺に沿って設けられた連結部を備えた第２の端子部とを有し、前記コイル部の一端は前記第１の接続部のいずれかに接続し、前記コイル部の他端は前記第２の接続部のいずれかに接続されることを特徴とするアンテナ装置。
【請求項２】
前記第１の接続部と前記第２の接続部はアンテナ装置を実装させる際の固定部として機能することを特徴とする請求項１記載のアンテナ装置。
【請求項３】
略直方体からなる磁性体と、該磁性体を巻回し２つの端部を備えるコイル部と、前記磁性体の一辺に位置する２つの角部近傍にそれぞれ備えられた第１の接続部とこれら第１の接続部を連結し、前記磁性体の一辺に沿って設けられた連結部を備えた第１の端子部と、前記磁性体の一辺と対向する対辺に位置する２つの角部近傍にそれぞれ備えられた第２の接続部とこれら第２の接続部を連結し、前記磁性体の対辺に沿って設けられた連結部を備えた第２の端子部とを有し、前記コイル部の一端は一方の前記第１の接続部に接続し、前記コイル部の他端は他方の前記第１の接続部に接続されるとともに、前記第１の端子部の連結部を切断するようにしたことを特徴とするアンテナ装置。
【発明の詳細な説明】
【技術分野】
【０００１】
本発明は、ＲＦ−ＩＤ、すなわちＩＣカードやＩＣタグ等の無線通信媒体との通信を行う無線通信媒体処理装置、あるいは無線通信媒体そのものに用いられるアンテナ装置に関するものである。
【背景技術】
【０００２】
近年、携帯電話等の携帯端末にＲＦ−ＩＤ用無線タグを内蔵したものや、非接触型ＩＣカードやＩＣタグを読み取る機能を搭載したものが普及してきている。この種の装置に用いられるアンテナ装置は、例えば特許文献１に記載されているように、フェライトシートにコイルを複数回、巻回して構成され、フェライトの角部付近に端子を備えたものが知られている。通常、端子はフェライトのそれぞれの角部付近に合計で４つ備えられ、そのうちの２つがコイルとその他の部分とを接続するために用いられている。なお、その他の端子はコイルに接続されずにアンテナ装置を安定して設置するために用いられる。
【先行技術文献】
【特許文献】
【０００３】
【特許文献１】特開２００４−１５９３４８号公報
【発明の概要】
【発明が解決しようとする課題】
【０００４】
フェライトの角部に端子を備える従来のアンテナ装置の概略構成図を図４、図５、図６に示し、とりわけアンテナ装置にコイルを巻回したものを図５および図６にそれぞれ示す。図４において、フェライト１に端子４１がフェライト１のそれぞれの角部に備えられている。図５の場合には、位置Ａにおける端子と位置Ｂにおける端子Ｂとがそれぞれコイル５に接続されている。この場合には、アンテナ装置が実装される通信装置のラインは位置Ａにおける端子および位置Ｂにおける端子それぞれ接続しなければならず、アンテナ装置の通信装置に対する設置の方向性に制限が生じてしまうという課題があった。また、逆に設置の制限から例えば、図６に示すように設置の制限から位置Ｂにおける端子と位置Ｃにおける端子とを通信装置のラインに接続させようとすると、コイル５を位置Ａの端子近傍部から位置Ｃの端子近傍部までわざわざ延ばして位置Ｃにおける端子に接続させる必要があり、コイル５に余分な長さを必要とするという課題があった。
【０００５】
本発明は上記従来の課題に鑑みて為されたものであり、コイルに余分な長さを必要とせずに、通信装置に実装させる際の方向性の制限を無くしたアンテナ装置を得ることを目的とする。換言すれば、本発明によればアンテナ装置のフェライトの角部に備えられたどの端子と通信装置のラインと接続させても、通信装置のラインとコイルとを接続することができる。
【課題を解決するための手段】
【０００６】
上記目的を達成するために、本発明は略直方体からなる磁性体と、該磁性体を巻回し２つの端部を備えるコイル部と、前記磁性体の一辺に位置する２つの角部近傍にそれぞれ備えられた第１の接続部とこれら第１の接続部を連結し、前記磁性体の一辺に沿って設けられた連結部を備えた第１の端子部と、前記磁性体の一辺と対向する対辺に位置する２つの角部近傍にそれぞれ備えられた第２の接続部とこれら第２の接続部を連結し、前記磁性体の対辺に沿って設けられた連結部を備えた第２の端子部とを有し、前記コイル部の一端は前記第１の接続部のいずれかに接続し、前記コイル部の他端は前記第２の接続部のいずれかに接続されるようにしたものである。
【発明の効果】
【０００７】
本発明によれば、コイルに余分な長さを必要とせずに、通信装置に実装させる際の方向性の制限のないアンテナ装置を得ることができる。つまり、アンテナ装置のフェライトの角部に備えられたどの端子と通信装置のラインと接続させても、通信装置のラインとコイルとを接続することができ、しかも各接続部はアンテナ装置に実装させる際の固定部として機能するので安定して設置できるアンテナ装置を得ることができる。
【図面の簡単な説明】
【０００８】
【図１】本発明の一実施例におけるアンテナ装置の概略構成図
【図２】本発明の一実施例におけるアンテナ装置の概略構成図
【図３】本発明の一実施例におけるアンテナ装置の概略構成図
【図４】本発明の従来例のアンテナ装置の概略構成図
【図５】本発明の従来例のアンテナ装置の概略構成図
【図６】本発明の従来例のアンテナ装置の概略構成図
【発明を実施するための形態】
【０００９】
本発明の第１の発明によれば、略直方体からなる磁性体と、該磁性体を巻回し２つの端部を備えるコイル部と、前記磁性体の一辺に位置する２つの角部近傍にそれぞれ備えられた第１の接続部とこれら第１の接続部を連結し、前記磁性体の一辺に沿って設けられた連結部を備えた第１の端子部と、前記磁性体の一辺と対向する対辺に位置する２つの角部近傍にそれぞれ備えられた第２の接続部とこれら第２の接続部を連結し、前記磁性体の対辺に沿って設けられた連結部を備えた第２の端子部とを有し、前記コイル部の一端は前記第１の接続部のいずれかに接続し、前記コイル部の他端は前記第２の接続部のいずれかに接続されるようにしたものである。これにより、コイルに余分な長さを必要とせずに、通信装置に実装させる際の方向性の制限のないアンテナ装置を得ることができる。
【００１０】
また、本発明の第２の発明によれば前記第１の接続部と前記第２の接続部はアンテナ装置を実装させる際の固定部として機能するようにしたものである。これにより、安定してアンテナ装置は通信装置等に設置されることができる。
【００１１】
また、本発明の第３の発明によれば、略直方体からなる磁性体と、該磁性体を巻回し２つの端部を備えるコイル部と、前記磁性体の一辺に位置する２つの角部近傍にそれぞれ備えられた第１の接続部とこれら第１の接続部を連結し、前記磁性体の一辺に沿って設けられた連結部を備えた第１の端子部と、前記磁性体の一辺と対向する対辺に位置する２つの角部近傍にそれぞれ備えられた第２の接続部とこれら第２の接続部を連結し、前記磁性体の対辺に沿って設けられた連結部を備えた第２の端子部とを有し、前記コイル部の一端は一方の前記第１の接続部に接続し、前記コイル部の他端は他方の前記第１の接続部に接続されるとともに、前記第１の端子部の連結部を切断するようにしたものである。これにより、複数の接続部のうちどの接続部を用いても通信装置等のラインとコイルとを接続させることができ、とりわけ同一の端子部に属する接続部と通信装置等のラインとを接続することも可能になり、より設置の際の方向性を向上させてアンテナ装置を得ることができる。
【実施例】
【００１２】
以下、本発明の実施例について図面を用いて説明する。図１は本発明の一実施例におけるアンテナ装置の概略構成図であり、コイルを巻回する前の状態を示す。１はフェライトで、略直方体の形状を有する。２ａおよび２ｂは端子でありフェライトの４つの角部近傍に接続されている。端子２ａおよび２ｂはそれぞれ位置ＡとＣおよび位置ＢとＤの間で電気的に接続されている。つまり、端子２ａは位置ＡおよびＣでフェライト１から外部に突出した接続部３ａおよび接続部３ｃとこれら接続部を互いに連結する棒状の連結部４ａからなる。連結部４ａはフェライト１の一辺に沿って設けられている。端子２ｂも端子２ａと同様の構成であり、フェライト１の一辺に対向する他辺に沿って設けられた連結部４ｂが接続部３ｂおよび３ｄを連結している。なお、各接続部３ａから３ｄはアンテナ装置が通信装置等に実装される際にアンテナ装置を通信装置等に固定する機能も有する。
【００１３】
図２および図３は本発明の一実施例におけるアンテナ装置の概略構成図であり図１のアンテナ装置にコイルを巻いた状態を示したものである。図２においてコイル５はその一端を端子２ａの位置Ａにある接続部３ａに接続し、他端を端子２ｂの位置Ｂにある接続部３ｂに接続している。端子２ａにおいて、接続部３ａと接続部３ｃが連結部４ａにより連結されているので端子２ａの接続部３ｃおよび端子２ｂの接続部３ｂはコイル５を介して互いに導通されている。従って、図２で示すようにコイル５を接続部３ａおよび３ｂに接続させたとしても通信装置のラインを端子２ａの位置Ｃにおける接続部３ｃおよび端子２ｂの位置Ｂにおける接続部３ｂと接続させることができる。図２で示すアンテナ装置の場合には通信装置の一方のラインを端子２ａの位置ＡあるいはＣにおける接続部３ａあるいは３ｃと接続することができ、他方のラインを端子２ｂの位置ＢあるいはＤにおける接続部３ｂあるいは３ｄと接続することができる。この結果、アンテナ装置を通信装置に実装する際に設置の方向性の自由度を向上することができる。
【００１４】
図３は、通信装置のラインを一方の端子２ａのみに接続した場合を示す。コイル５は端子２ａの位置Ａにおける接続部３ａおよび位置Ｃにおける接続部３ｃにそれぞれ接続されている。一方、通信装置のラインも端子２ａの接続部３ａおよび接続部３ｃに接続されている。ここで、端子２ａが図２で示す状態のままであると、接続部３ａおよび接続部３ｃが互いに連結されているので導通されてしまう。このように通信装置のラインと一方の端子２ａのみとを接続したい場合には図３に示すように連結部４ａを切断すればよい。連結部４ａを切断さえすれば、アンテナ装置の一方側から通信装置のラインと接続させることができ、図２で示すアンテナ装置と同様にアンテナ装置を通信装置に実装する際に設置の方向性の自由度を向上させることができる。
【００１５】
なお、実際に通信装置に実装される際にはフェライト１および端子２ａ、２ｂを樹脂等で覆って用いられる。この際には樹脂より接続部３ａ、３ｂ、３ｃおよび３ｄの先端部のみが露出され通信装置のラインと接続される。
【産業上の利用可能性】
【００１６】
本発明のアンテナ装置によれば、通信装置に実装させる際に通信装置のラインと接続する端子を固定することなく自由に選択することができ、この結果、設置の際の方向性の自由度を向上させることができ、アンテナ装置を用いた通信装置に有用である。
【符号の説明】
【００１７】
１    フェライト
２ａ、２ｂ    端子
３ａ、３ｂ、３ｃ、３ｄ    接続部
４ａ、４ｂ    連結部
５    コイル
【図１】
2011244363.tif 000003
【図２】
2011244363.tif 000004
【図３】
2011244363.tif 000005
【図４】
2011244363.tif 000006
【図５】
2011244363.tif 000007
【図６】
2011244363.tif 000008